(57)【要約】【課題】  ケース内部に発生する液流によるノイズの影響を無くし、安定した電界及び電位測定を可能とするとともに、測定までに要する時間を短縮することが可能な海中特性測定機器用の電極を提供する。【解決手段】  電極１は、外部の電解液３０を内部に導入する開口部を有するケース１０と、このケース１０の内部に配置された例えばＡｇ／ＡｇＣｌからなる電位検出素子１１と、ケース１０の開口部に取り付けられたフィルタ１２と、ケース１０の内部に充填された液流防止材としての不織布１５とを備える。不織布１５に電解液を浸透させていない場合、電極１を電解液３０中に投入すると、ケース１０内部において、電解液３０が水流を生じることなくケース１０のフィルタ１２を介して不織布１５に素早く浸透し、短時間で電解液３０と電位検出素子１１とが良好に電気的接続される。【選択図】      図１
2008039438.tif 000002
【特許請求の範囲】
【請求項１】
外部の電解液を内部に導入する開口部を有するケースと、このケース内部に配置された電位検出素子とを備える電極において、
ケース外部の電解液が開口部を通じてケース内部に流れ込むことにより発生する液流を防ぐための液流防止材をケース内部に充填したことを特徴とする海中特性測定機器用の電極。
【請求項２】
液流防止材は不織布であることを特徴とする請求項１記載の海中特性測定機器用の電極。
【請求項３】
ケースの開口部にケース外部の電解液が開口部を通じてケース内部に流れ込む際の液流を防ぐためのフィルタを取り付けたことを特徴とする請求項１又は請求項２記載の海中特性測定機器用の電極。
【発明の詳細な説明】
【技術分野】
【０００１】
この発明は、海水中の電気的特性を測定するための測定機器に使用される電極に関する。
【背景技術】
【０００２】
従来技術では、図２に示すように電解液３０中の電位を測定するための電極５０は、電位検出素子１１を内部に組み込んだケース１０の電解液導入部（開口部）にフィルタ１２を取り付けている。このフィルタ１２を取り付けることにより、電極５０を電解液３０に投入したときに電解液３０中で発生する水流（矢印イ）が電位検出素子１１に当たることで発生するノイズを避けて、安定した電界測定及び電位測定を行うことができる。
【０００３】
外部ノイズの影響を受けないようにした電極として、電極本体の周囲のケース体に、電極本体を囲むようにシールド板を設け、このシールド板をケーブルの外部導体を経て回路部でアースに接続し、到来した外部ノイズをシールド板を経てアースに落すようにした電極がある（例えば、特許文献１参照）。
【特許文献１】特開２０００−２２７４１１号公報
【発明の開示】
【発明が解決しようとする課題】
【０００４】
従来技術では、ケース１０の開口部に取り付けたフィルタ１２により、電解液３０中の水流によるノイズを抑えることは可能である。しかし、ケース１０そのものが振動、衝撃を受ける場合、測定する電位のオーダーによっては、ケース１０内部に封入されている電解液４０の水流（矢印ロ）が電位検出素子１１に影響してノイズを発生させる原因となる。
【０００５】
電解液４０の水流によるノイズを防止するために電解液４０を無くすことも考えられるが、電界測定及び電位測定は、ケース１０内部のフィルタ１２と電解液４０を介して、電解液３０の電界及び電位を測定するため、ケース１０内部に電解液４０が無い状態で測定することは原理上不可能である。また、ケース１０内部に電解液４０が無い状態の電極５０を電解液３０に投人して、電解液３０がフィルタ１２を通してケース１０内部に充填され、安定した測定が可能な状態になるまでには、電解液３０がフィルタ１２を通過する分だけ、フィルタ１２が無い場合と比較して時間を要する。そのため、現状の電極構造は、ケース１０内部に電解液４０を封入して、ケース１０外部に電解液４０が漏洩しないような防水構造として、電解液４０が漏洩しないように注意して長期保管する必要がある。
【０００６】
本発明は、そのような実情に鑑みてなされたものであって、ケース内部に発生する液流によるノイズの影響を無くし、安定した電界及び電位測定を可能とするとともに、測定までに要する時間を短縮することが可能な海中特性測定機器用の電極を提供することを目的としている。
【課題を解決するための手段】
【０００７】
上記の課題を解決するために、本発明の海中特性測定機器用の電極は、外部の電解液を内部に導入する開口部を有するケースと、このケース内部に配置された電位検出素子とを備える電極において、ケース外部の電解液が開口部を通じてケース内部に流れ込むことにより発生する液流を防ぐための液流防止材をケース内部に充填したことを特徴とする。
【０００８】
この電極において、液流防止材は、電極を電解液中に投入したときに、電解液がケース内部の液流防止材に浸透するのであれば特定されず、例えば浸透の早さや浸透後の安定性等を考慮すると不織布であることが好ましい。
【０００９】
また、ケースの開口部にケース外部の電解液が開口部を通じてケース内部に流れ込む際の液流を防ぐためのフィルタを取り付けてもよい。
【発明の効果】
【００１０】
請求項１記載の発明によれば、ケース内部において生じる液流によるノイズを低減して、電界及び電位を安定して測定することができる。
【００１１】
請求項２記載の発明によれば、ケース内部に電解液を封入せずに保管していても、使用時には電極を電解液中に投入すれば、電解液による液流を生じることなく直ぐに安定した測定が行える状態とすることが可能である。
【００１２】
請求項３記載の発明によれば、より一層安定した電界及び電位測定を行うことができる。
【発明を実施するための最良の形態】
【００１３】
以下、実施の形態により、この発明を更に詳細に説明する。
【００１４】
実施形態に係る海中特性測定機器用の電極の概略構造図を図１に示す。但し、図２に示す従来の電極と同じ要素には同一符号を付してある。
【００１５】
この電極１は、外部の電解液３０を内部に導入する開口部（符号は付さず）を有するケース１０と、このケース１０の内部に配置された例えばＡｇ／ＡｇＣｌからなる電位検出素子１１と、ケース１０の開口部に取り付けられたフィルタ１２と、ケース１０の内部に充填された液流防止材としての不織布１５とを備える。この不織布１５には、当該電極１の長期保管の有無にかかわらず予め電解液を浸透させておいてもよいし、そうでなくてもよい。
【００１６】
この電極１では、ケース１０の内部に不織布１５が充填されているので、予め不織布１５に電解液を浸透させてある場合は、使用時に電極１を電解液３０中に投入すると、ケース１０外部の電解液３０がフィルタ１２を介してケース１０内部の不織布１５の浸透電解液と直ぐに安定接触し、電解液３０と電位検出素子１１との間の良好な電気的接続が実現する。これにより、図２のように従来の電極５０で発生していたケース１０内部における電解液４０による水流とその水流によって生じるノイズの影響がなく、安定した電界及び電位測定を行うことが可能となる。
【００１７】
また、他の実施形態として、不織布１５に電解液を浸透させていない場合、電極１を電解液３０中に投入すると、ケース１０外部の電解液３０がフィルタ１２を介してケース１０内部の不織布１５全体に直ちに浸透し、電解液３０が電位検出素子１１に良好に電気的接触することになる。これにより、電解液３０が不織布１５に浸透する際に電解液３０による水流が発生することなく、短時間で電界及び電位測定を安定して行うことが可能となる。
【００１８】
更に、他の実施形態として、ケース１０の開口部にフィルタ１２を取り付けず、しかも不織布１５に電解液を浸透させていない場合でも、電極１を電解液３０に投入すると、電解液３０が水流を生じることなくケース１０の開口部を通じて不織布１５全体に素早く浸透し、短時間で安定した測定が行える状態にすることが可能である。
【図面の簡単な説明】
【００１９】
【図１】実施形態に係る海中特性測定機器用の電極の概略構造図である。
【図２】従来例に係る海中特性測定機器用の電極の概略構造図である。
【符号の説明】
【００２０】
１      海中特性測定機器用の電極
１０    ケース
１１    電位検出素子
１２    フィルタ
１５    不織布（液流防止材）
３０    電解液
【図１】
2008039438.tif 000003
【図２】
2008039438.tif 000004